(57)【要約】      （修正有）【課題】ゴルフクラブの性能変化、調整、修正、修理等にあったて、シャフトの交換を、安全性、即効性、容易、かつ未熟練で接着剤なしでも、可能にして、顧客の多様な欲求の幅を広げるのに役立たせるための新たな機構で、シャフトをヘッドに組み入れる方法を提供する。【解決手段】ヘッド本体１のホーゼル８に、ホーゼルのテーパー部２、ホーゼルのボルト部３、ホーゼルのスリット４を形成し、スライドナットにより、シャフト交換、取り付けを可能にした。【選択図】図１
2006034906.tif 000002
【特許請求の範囲】
【請求項１】
本発明は、ヘッドにシャフトを取り付けるにあたって、接着剤等の間接合材を使用しないで、直接、即効、容易、かつ専門的技術を必要としないで、安全性と、シャフトの交換を、可能にするためにスライド０ナット［５］がついているゴルフヘッドである。
【請求項２】
本発明は、ヘッドにシャフトを取り付けるに当たって、接着剤等の間接合材を使用しないで、直接、即効、容易、かつ専門的技術を必要としないで、シャフトの交換を可能にするために、ホーゼルのテーパー部（２）、ホーゼルのボルト部（３）と、ホーゼルのスリット［４］付き、ホーゼル［８］を装着したゴルフヘッドである。
【発明の詳細な説明】
【発明の詳細な説明】
【０００１】［発明に属す技術分野］
本発明は、ゴルフクラブの性能を調整、修正する目的を、シャフトの交換に依存し、この交換を、直接、即効、容易、接着剤なし、かつ専門的技術を必要しないためのものである。  従来は専門職が加工していた。しかも幾日の日時を必要として不便であった。これを解消するための独自性機構である。しかも各種のメーカーのシャフトを即効的に交換を可能ならしめて、シャフトの種類選択の幅を広げて、顧客の性能向上の欲求に対応しうる考案分野である。
【０００２】［従来の技術］
シャフトをヘッドのホーゼルへ組み入れる際に、ゴルフクラブの製作、修理、修正、調整、の加工は、すべて接着剤の解溶及び結合に依存しなければならなかった。時間を必要とし顧客に不便と経費の負担を強いていた、かつ調整、修正の効果に於いて未熟であった。
従来の金属製のヘッドの構造では、現在ヘッドとシャフトの取り付け方法は、限界的であり、単純で、接着剤での取り付け方法が主流で他に方法が見あたらない。現在、クラブの性能変化は、シャフト交換が１つの方法でもあった。けれどもかなりの時間を要し、かつ専門的技術が必要です。さらに、現在のソケットは装飾的に装着されていて取り付強度、安全性には全く役に立っていない。
【０００３】［発明が解決しようとする課題］
前記［０００２］の説明の様に、シャフトの取り付け方法を、従来以上、更に安全性の強度、簡単、即効性、及び性能向上に寄与する為に改善すること。より満足する性能を向上させようとする顧客の欲求を満たすには、、シャフトの取り付け方法も、１つの方法でもある。解決すべき課題は、未熟練でもシャフト交換が可能ならしめ、安全性、簡単、即効性、性能変化で向上、修正を、接着剤なしで、しかも容易であれば、その恩恵は大きいものである。別件考案のシャフトを使用するとさらに効果が発揮する。
さまざまな、各メーカーの各種類のシャフトを装着してその違いを知るには、今までのシャフトの交換方法では、数日を要し、その他の諸条件で、まず即効性では不可能が現状である。現状に於いてシャフトの固定方法は接着剤の方法しかないのが実情である。本発明は、シャフトの交換を即効、安全、容易、未熟練で、接着剤なしで、可能にする機構をヘッドにもたせることにある。現在、通常の取り付け方法は、接着剤に依存し、またソッケト（シャフトとヘッド間の装飾な金属または樹脂）を使用するが安全性の強度には、全く役になるものではない。
本発明のスライド  ナット（５）、（これはソッケトになる）は、新しい取り付け方法の必修部分で、しかも、安全強度をまし、科学的固定方法より、機械、物理的応力のほうが強い固定力を持っているネジの構造であり、従来の装飾的役目をも兼ねていて、即効的、簡単で、誰でもシャフトの交換を可能にする。販売ニーズの幅を広げられ、販売促進に役立つ。
【０００４】［課題を解決するための手段］
シャフトをヘッドに簡単、安全、即効、接着剤なしで、未熟練でも取り付ける方法である。
【０００５】取り付け方法は、スライド  ナット（５）と、ホーゼルのテーパー部（２）、ホーゼルのボルト部（３）と、ホーゼルのスリット（４）、付のホーゼル（８）が、装着されたヘッド本体（１）の機構によるものである。
【０００６】本発明の解決手段は、シャフトを取り付けるにあたり、解決手段として必要な部分であるスライド  ナット（５）が、ホーゼル（８）に、装填されている。  スライド  ナットのネジ（６）と、ホーゼルのボルト部（３）、ホーゼルのテーパー部（２）、及びホーゼルのスリット（４）の部分は、シャフトの取り付け、取り外し交換の作業の為の物であり、それらは、ヘッド本体（１）に装着している。
【０００７】［発明の実施の形態］
ヘッド本体（１）は、ホーゼルのスリット（４）とホーゼル  テーパー部（２）、ホーゼルのボルト部（３）を、もったホーゼル（８）、から成り、かつ、スライド  ナット（５）が装填されているヘッドである。
【０００８】本発明は、シャフトの取り付け方法に特徴があり、その方法はホーゼルの穴（１０）にシャフト（９）を挿入することから始まる。
【０００９】スライド  ナット（５）は、右ネジで、スライド  ナットのネジ（６）が切られていて、右回転させると、スライド  ナット（５）がホーゼルのスリット（４）を閉じさせて、シャフト（９）をヘッドのホーゼルに固定させ、動かなく、亦、左回転させると、ホーゼルのスリット（６）が、開きシャフトをヘッドから取り外す事ができる構造を持っている
【００１０】ホーゼル（８）は、ホーゼルのテーパー部（２）、ホーゼルのスリット（４）、ホーゼルのボルト部（３）をもっていて、スライド  ナット（５）を左右に回転させることによって、ホーゼルのテーパー部（２）の面にナットが移動しホーゼルのスリット（４）が閉じたり、開いたりして、ホーゼルの穴の中に挿入されているシャフト（９）を固定又は、取りはずしが出来る機構をもち、ゴルフ用品では新規考案の機構である。
【００１１】本発明のスライド  ナットは、従来のソケット（ルール名称はフェルール）の装飾的役目と、併せてクラブの安全性に寄与する、新しいソケットでもある。
従来のソケットは、装飾的役目しか持ってなく、ずれ動いたときは、故障としてクレームの対象である。然るに、  本発明のスライド  ナット（５）は、ソケットの役目もして、さらにシャフトの固定には、必須の構成部品で、新規性のある、機能ソケットでもある。スライド  ナット（５）は、右回転するとシャフト取り付けの固定する力を持ち、かつ、ソケットの役目もあり、現在より安全性も増し、従来の装飾的な役目も兼用している。
このスライド  ナット（ソケット）は商品の使用上の安全に、寄与する存在になる。（従来のソケットは、単に装飾的な存在でしかなかったし、シャフトの取り付の安全性について全く寄与する存在には成りえていない。）
【００１２】本発明のスライド  ナット（５）は、内側にネジが切られて、そのネジの回転の応力によってホーゼルのスリット（４）が、閉じてシャフトの固をもち、しかも安全性と装飾的な機構をもつ新規な考案の部品である。スライドナットの先端部が、ホーゼルのテーパー部（２）の面を移動することで、ホーゼルのスリット（４）が開いたり、閉じたりして、シャフトを、固定、又は、取りはずしが可能となる。
更に、シャフトを適正な位置に決定し接着剤を併用すれば、固定力と、その安全性は更なる力となる。ただし本発明の方法は、接着剤を必要としないで堅牢なネジの応力を持っている。（当分はネジ規格ＵＦＮ  Ｕ１／２を使用）［図６］ヘッドとシャフトの組み立て完成図  を参照すればスライド  ナットの実施形態は  明瞭になる。
【００１３】［図７］のスパナー（１１）は、スライド  ナットを回転させるのに使用するためのもので、スパナーのキー（１２）を、スライド  ナットのキー（７）に、あてがい、通常のモンキー  スパナーと同じ動作で作業するだけである。  全く普通の使用方法で、何人でも簡単に使えるものである。
［発明の効果］
本発明のゴルフクラブヘッドは、シャフトの交換作業を接着剤なしで、誰でも、簡単にし、安全性、即効性、及び未熟練でも調整、修正、製作を可能にする。即ち、スライド  ナット（５）、ホーゼルのテーパー部（２）とホーゼルのボルト部（３）及びホーゼルのスリット（４）を加工したホーゼル（８）付きヘッド本体（１）が、本発明の効果を発揮して、誰でも簡単に、これらによって新しいシャフトの取り付け方法を可能にする。更にまた、販売に当たって、顧客の多様なニーズにも対応の幅を広げ、販売促進に寄与するものである。
【図面の簡単な説明】［図１］  ヘッド本体
［図２］  スライド  ナットの断面
［図３］  スライド  ナット
［図４］  ホーゼル
［図５］  ホーゼル側面
［図６］  ヘッドとシャフトの組み立て完成図
［図７］  スパナー
【符号の説明】
１    ヘッド本体
２    ホーゼルのテーパー部
３    ホーゼルのボルト部
４    ホーゼルのスリット
５    スライド  ナット
６    スライド  ナットのネジ
７    スライド  ナットのキー
８    ホーゼル
９    シャフト
１０  ホーゼルの穴
１１  スパナー
１２  スパナーのキー
【図１】
2006034906.tif 000003
【図２】
2006034906.tif 000004
【図３】
2006034906.tif 000005
【図４】
2006034906.tif 000006
【図５】
2006034906.tif 000007
【図６】
2006034906.tif 000008
【図７】
2006034906.tif 000009
【手続補正書】
【提出日】平成16年8月26日(2004.8.26)
【手続補正１】
【補正対象書類名】特許請求の範囲
【補正対象項目名】請求項１
【補正方法】変更
【補正の内容】
［請求項１］  本発明は、ヘッドにシャフトを取り付けるにあたって、接着剤等の間接合材を使用しないで、直接、即効、容易、かつ専門的技術の必要性なく、安全性と、シャフトの交換を、可能にするためにスライド  ナット（５）がついているゴルフ  ヘッドである。
【手続補正２】
【補正対象書類名】明細書
【補正対象項目名】００１２
【補正方法】変更
【補正の内容】
［００１２］  本発明のスライド  ナット（５）は、内側にネジが切られて、そのネジの回転の応力によってホーゼルのスリット（４）が、閉じてシャフトに対して固定力をもち、しかも安全性と装飾的な機構をもつ新規な考案の部品である。
スライド  ナットの先端部が、ホーゼルのテーパー部（２）の面を移動することで、ホーゼルのスリット（４）が開いたり、閉じたりして、シャフトを固定、又は、取り外しが可能となる。
更に、シャフトを適正な位置に決定し接着剤を併用すれば、固定力とその安全性は、更なる力となる。    ただし本発明の方法は、接着剤を必要としないで堅牢なネジの応力となる。（当分はネジ規格ＵＮＦ  Ｕ１／２を使用）
［図６］，ヘッドとシャフトに組み立て完成図を参照すればスライドナットの実施形態は明瞭になる。